(57)【特許請求の範囲】
【請求項１】
前方に操縦席を具備し後方の荷台部分にホッパーを具備する車体の中央部の下方の横方向に設けられたブラシケース内で回転駆動するブラシによって掻き上げられた地面の芝生面上の芝やホコリなどの塵埃を風洞を通じて前記ホッパー内に収集する芝生清掃車において、
前記車体のブラシケースの両側方の上側の車体側方に固定する側板とこの側板に直角に固定した水平板を具備する取付枠と、前記水平板に形成した貫通口の下方に固定したガイド筒と、該ガイド筒の内部に上下動自在に収納したサポートロッドと、該サポートロッドの前記ガイド筒よりも下方へ突出した部位に設けられた前記ブラシケースに固定したストップローラーを載せる載台と、前記サポートロッドの水平板よりも上方へ突出している突出部分に必要枚数だけ外嵌する所定の厚みを有する円環状のスペーサーと、前記サポートロッドに設けてあるピン孔に差し込むロックピンと、を具備することを特徴とする芝生清掃車のブラシ高さ調節装置。
【請求項２】
前記円環状のスペーサーの上方の前記サポートロッドに外嵌するピン孔を形成したストッパーカラーを有することを特徴とする請求項１に記載の芝生清掃車のブラシ高さ調節装置。
【請求項３】
前記ストッパーカラーに前記側板と係合する回り止め板を固定したことを特徴とする請求項２に記載の芝生清掃車のブラシ高さ調節装置。
【請求項４】
前記水平板の上方に前記円環状のスペーサーを外嵌する予備ロッドを設けたことを特徴とする請求項１乃至３のいずれかに記載の芝生清掃車のブラシ高さ調節装置。
【請求項５】
前記ロックピンと前記予備ロッドの上方のピン孔に差し込んで前記円環状のスペーサの抜け防止するリンチピンとが、一端を前記ロックピンに固定され他端に穴を有する係止具を具備するワイヤーによって連結されていることを特徴とする請求項４に記載の芝生清掃車のブラシ高さ調節装置。
【請求項６】
前記ロックピンがボールロックピンであることであることを特徴とする請求項１乃至５のいずれかに記載の芝生清掃車のブラシ高さ調節装置。
【請求項７】
前記載台は前記サポートロッドの下方に設けたねじ形成部位にその上下をナットで挟まれるようにして上下方向に固定位置を変更可能に設けたことを特徴とする請求項１乃至６のいずれかに記載の芝生清掃車のブラシ高さ調節装置。
【発明の詳細な説明】
【技術分野】
【０００１】
この発明は、ゴルフ場や芝生養成場などの芝生面を清掃する芝生清掃車のブラシ高さ調節装置に関する。
【背景技術】
【０００２】
周知のように、ゴルフ場や芝生養生場あるいは公園などにおいて、芝刈機で刈られた余分な芝やホコリなどの塵埃を、芝生清掃車が本機下方のブラシケース内で横方向に長いブラシを軸を中心に回転させながら風圧等で芝やホコリを掻き上げて風洞を通ってホッパーの中に溜めて、所定量が溜まって一杯になると捨場で排出するようにしている。
【０００３】
このような芝生清掃車において、掻き上げる芝やホコリなどの塵埃とブラシとの間隔距離が短すぎると地面に生えている芝を傷つけ、逆に間隔距離が長い時には掻き上げ難くなり十分な清掃が行うことが出来なくなる。
このような地面とブラシとの間隔距離の調整は、例えばゴルフ場においては芝が短く刈り取られているフェアウエイから芝がある程度伸びているラフへの移動、逆にラフからフェアウエイへの移動の場合にその都度調整しなければならない。
【０００４】
そこで、例えば特許文献１においては、ブラシと芝が生えている地面との間隔距離を保持するガイド車輪を設け、このガイド車輪を揺動自在にアームに取付け、このアームの上端部にガイド車輪の取付角度を調整する調整装置を設けて、ガイド車輪の取付角度を変えることにより、ブラシと芝が生えている地面との間隔距離の調整を頻繁に行えるようにしたブラシ高さ調整装置が開示されている。
【先行技術文献】
【特許文献】
【０００５】
【特許文献１】特許第４３３２５４０号公報
【発明の概要】
【発明が解決しようとする課題】
【０００６】
しかしながら、上記従来技術によると、芝が生えている地面を走行するガイド車輪が必要であるために、構造が複雑になり、しかもガイド車輪の径が小さいために溝や窪みに落ち込み易く走行がスムーズに行き難いという問題点がある。そこで、この発明は構造が簡単で、しかもガイド車輪が必要でない芝生清掃車のブラシ高さ調整装置を提供することを目的とする。
【課題を解決するための手段】
【０００７】
そのため、この発明は、前方に操縦席を具備し後方の荷台部分にホッパーを具備する車体の中央部の下方の横方向に設けられたブラシケース内で回転駆動するブラシによって掻き上げられた地面の芝生面上の芝やホコリなどの塵埃を風洞を通じて前記ホッパー内に収集する芝生清掃車において、前記車体のブラシケースの両側方の上側の車体側方に固定する側板とこの側板に直角に固定した水平板を具備する取付枠と、前記水平板に形成した貫通口の下方に固定したガイド筒と、該ガイド筒の内部に上下動自在に収納したサポートロッドと、該サポートロッドの前記ガイド筒よりも下方へ突出した部位に設けられた前記ブラシケースに固定したストップローラーを載せる載台と、前記サポートロッドの水平板よりも上方へ突出している突出部分に必要枚数だけ外嵌する所定の厚みを有する円環状のスペーサーと、前記サポートロッドに設けてあるピン孔に差し込むロックピンと、を具備することである。
【０００８】
又、この発明は、前記円環状のスペーサーの上方の前記サポートロッドに外嵌するピン孔を形成したストッパーカラーを有することである。
【０００９】
更に又、この発明は、前記ストッパーカラーに前記側板と係合する回り止め板を固定したことである。
【００１０】
更に、この発明は、前記水平板の上方に前記円環状のスペーサーを外嵌する予備ロッドを設けたことである。
【００１１】
更に、この発明は、前記ロックピンと前記予備ロッドの上方のピン孔に差し込んで前記円環状のスペーサの抜け防止するリンチピンとが、一端を前記ロックピンに固定され他端に穴を有する係止具を具備するワイヤーによって連結されていることである。
【００１２】
又、この発明は、前記ロックピンがボールロックピンであることである。
【００１３】
更に又、この発明は、前記載台は前記サポートロッドの下方に設けたねじ形成部位にその上下をナットで挟まれるようにして上下方向に固定位置を変更可能に設けたことである。
【発明の効果】
【００１４】
上記構成からなるこの発明の芝生清掃車のブラシ高さ調整装置によると、ブラシと地面との間隔距離の調整を、ブラシケースに固定しているストップローラを載台に載置するだけでブラシケースを支持できるので、ガイド車輪は必要ではなくなり、その結果、構造が簡単になる。又、載台の高さの調整、即ち地面とブラシとの間隔距離の調整は、ガイド筒内で上下動可能なサポートロッドの水平板よりの突出部分の突出度合いによって定まるが、この突出度合いは所定の厚みを有するスペーサーを水平板とロックピンの間のサポートロッドに外嵌する枚数によるので、ロックピンを外してスペーサーの枚数の増減だけで良い。従って、載台の上下移動も簡単であるので、ゴルフ場のラフとフェアウエイを行き来する場合のように、頻繁に間隔距離を変更する場合であっても作業は短時間で且つ楽に行える利点がある。
【００１５】
又、スペーサーの上方にサポートロッドに外嵌するストッパーカラーを設け、ロックピンによってスペーサー上で固定した場合には、スペーサーが数枚に亘って積み重ねられている場合にも安定して保持される。
【００１６】
このストッパーカラーに回り止め板を設けた場合には、この回り止め板が側板に当って回転しないことから、サポートロッドの回転が抑制されて、常時同じ方向に位置するので、より安定してスペーサーをロックピンで係止できる。又、サポートロッドとストッパーカラーのピン孔合わせが容易になるので、ロックピンを挿入し易い。
【００１７】
予備ロッドを水平板に設けた場合には、間隔距離が短くてスペーサーが余る場合には、この予備ロッドに外嵌しておくことで保持でき、必要になった際には直ぐに引き出してサポートロッドへ移動する場合にも容易に行える。
【００１８】
前記ロックピンと予備ロッドのスペーサーの抜け防止のリンチピントがワイヤーによって連結可能とされているので、ピン止めの忘れ及び紛失防止に有効である。
【００１９】
前記ロックピンがボールロックピンである場合には、ピン孔にロックピンを差し込むだけで芝生清掃車の振動による抜け防止を図ることが可能であり、引き抜く際にも少しの力を加えるだけで引き抜けるので操作も容易である。
【００２０】
前記載台のサポートロッドへの上下方向の取付固定位置をナットの締付け緩めによって容易に調整できるので、前記スペーサーと併せて前記間隔距離の調整がより適確に行うことが出来る。
【図面の簡単な説明】
【００２１】
【図１】高さ調節装置を具備した芝生清掃車の全体側面図
【図２】図１の高さ位置調整装置の部分拡大側面図でストップーローラーが載台から離れた状態図
【図３】図１の高さ位置調整装置の部分拡大側面図でストップーローラーが載台に載った状態図
【図４】高さ位置調整装置の全体斜視図
【図５】図４の平面図
【図６】図４の断面説明図
【発明を実施するための最良の形態】
【００２２】
この発明の最良の実施形態について、図面に基づいて説明する。図１に示すように、芝生清掃車１は、前車輪２と後車輪３によって走行可能に支持された車体４の前方上方にハンドルやクラッチ機構等を備えた操縦席５を具備し、後方上方の荷台部分にはホッパー６を具備している。そして、車体４の中央部の下方で芝生清掃車１の進行方向と直角方向である横方向には、回転駆動するブラシ７を支持し周囲を包囲するブラシケース８が設けられていて、ブラシ７が回転して地面の芝やホコリ等の塵埃を掻き上げて図外の風洞を通って前記ホッパー６内へ溜められる。前記ブラシケース８は、操縦席に設けられた図外のレバーによりブラシ７と共に上下動可能な構造になっている。そして、ブラシケース８の両側には、固定板９を介してストップローラー１０が突出するようにして固定されている。
【００２３】
前記車体４のブラシケース８上方の両側には、それぞれブラシ高さ調整装置１１が固定されている。該ブラシ高さ調整装置１１は、地面とブラシ７の間隔距離を調整するためのもので、図２〜６に示すように、前記ブラシケース８の両側方の上側にある車体４の側方に固定する側板１２とこの側板１２の長手方向に直角に固定された水平板１３を具備する取付枠１４を有している。前記側板１２には、取付枠１４をねじで車体４に固定するためのねじ孔１５が形成されている。又、前記水平板１３の一端側には、貫通口１６が形成されると共にこの貫通口１６の下方にはガイド筒１７が水平板１３の裏面に固定されており、この貫通口１６及びガイド筒１７内にサポートロッド１８が上下動自在に挿入されている。
【００２４】
そして、このサポートロッド１８の水平板１３よりも上方に突出した突出部分には、所定の厚みを有する円環状のスペーサー１９が上方から取外し自在に外嵌出来るようになっている。外嵌するスぺーサー１９の枚数は求める間隔距離を得るためのもので、通常は厚さが６ｍｍ程度であるので、最大６ｃｍ程度の前記間隔距離の幅を持たせたい場合には、１０枚のスぺーサー１９を用意しておけば良いことになる。サポートロッド１８の下方側には外周にねじ切りしたねじ形成部位２０があり、このねじ形成部位２０に載台２１が上下をワッシャ２２を介してナット２３で締め付けられて嵌め込まれているので、両ナット２３の締付け緩めによって載台２１の位置を上下動させて固定することが出来る。
【００２５】
又、サポートロッド１８の上方にはピン孔２４が形成されており、このピン孔２４にロックピン２５を差し込むことで、芝生清掃車１が上下に振動した場合であってもスペーサー１９が抜け出ないようにしている。このロックピン２５がボールロックピンであれば、ピン孔２４から抜け出に難くなり又引っ張ると簡単に脱け出るので好ましく使用できる。更に、最上のスペーサー１９の上方にピン孔２４を形成したストッパーカラー２６をサポートロッド１８に外嵌して被せてサポートロッド１８との２つのピン孔２４にロックピン２５を差し込んで固定した場合には、より安定的にスペーサー１９をサポートロッド１８に固定できる。又、このストッパーカラー２６に前記側板１２と係合する回り止め板２７を設けた時には、サポートロッド１８が回転しないのでよりロックピン２５によるスペーサー１９の係止がより安定する。
【００２６】
前記水平板１３の貫通口１６を形成した反対側の端部には、使用しない余分なスペーサー１９を外嵌して保持する予備ロッド２８が立てられている。そして、芝生清掃車１の振動によってスペーサー１９が抜け出さないようにするためのリンチピン２９の係止棒３０を差し込むためのピン孔２４が形成されている。前記ロックピン２５とリンチピン２９とは、図４によく現れているように、ワイヤー３２によって連結しておくことによって紛失防止を図れる。この場合、ワイヤー３２の一端をロックピン２５に固定し他端にピン孔を設けた連結端子３３を設ければ、このピン孔２４に前記係止棒３０に挿入してから予備ロッド２８のピン孔２４に差し込むことによりワイヤー３２をリンチピン２９と容易に連結出来る。尚、前記取付板１２と水平板１３とはそれらの角部に設けた補強板３１によって補強されている。
【００２７】
側板１２に形成したねじ孔１５は、ねじで取付枠１４を車体４に固定するためのものであるが、車体４に直接にサポートロッド１８、ガイド筒１７や予備ロッド２８を等を取り付ける場合には取付枠１４は不要である。この発明はこのように取付枠１４と実質同一の作用効果を有するものの範囲まで及ぶものである。
【００２８】
上記構成からなるこの発明の使用について説明する。まず、地面とブラシ７との間隔距離の調整をする場合には、図２に示すように、操縦席５等にあるレバーを操作してブラシケース８を持ち上げて、ストップローラー１０を載台２１の上方へ移動させる。そして、ロックピン２５を抜いてストッパーカラー２６を外し、サポートロッド１８に必要な枚数のスペーサー１９を外嵌させる。例えば一枚のスペーサー１９の厚さは６ｍｍと決めておけば必要な間隔距離に見合った枚数のスペーサー１９を外嵌させる。不足の場合には予備ロッド２８から移動させ、余った場合には予備ロッド２８に外嵌させて保持しておく。その後、回り止め板２７を側板１２側に向けてストッパーカラー２６を上方からサポートロッド１８に差し込んでロックピン２５でサポートロッド１８とストッパーカラー２６を係止する。この時、ワイヤー３２の端部にある連結端子３３のピン孔にリンチピン２９の係止棒３０を差し込んでから、係止棒３０を予備ロッド２８のピン孔２４に差し込みリングを予備ロッド２８上方から反対側に回転させて引掛けて係止棒３０の抜けを防止することで、予備ロッド２８からのスペーサー１９の抜けを防止する。なお、サポートロッド１８及び予備ロッド２８の双方共に単独にロックピン２５を用いて係止してもよいのは勿論である。ワイヤー３２は、長尺な紐状、棒状、鎖状のものであれば材質は問われない。
【００２９】
このような準備が整えば、サポートロッド１８は自重によってガイド筒１７内を下方へ落下するが、スペーサー１９の合計厚さ分の距離分だけは落下を阻止されるので、それによって間隔距離が調整される。そして、ブラシケース８に固定しているストップローラー１０をレバー等の操作によって下降させて、サポートロッド１８の下方に設けた載台２１に載せて下降を停止させる。これによって、ブラシケース８を機械的に支持しなくとも間隔距離を保持したままの状態を維持できるので、構造が簡単になり、しかも地面の凹凸によってブラシケース８が持ち上がった場合にも載台２１からストップローラー１０が上方へ離反するだけで緩衝出来る利点がある。このようにして、地面の状況に応じてスペーサー１９のサポートロッド１８へ外嵌する枚数を調整して、間隔距離を調整することが出来るのである。
【００３０】
以上説明したようにこの発明のブラシ高さ調整装置１１によれば、ガイド車輪をなくしてブラシ高さの調整を可能にしたので、芝生清掃車１の構造が簡略化される利点がある。その他の種々の効果は、前記発明の効果の欄や実施形態の説明の欄で記載した通りであるので、その説明を省略する。
【産業上の利用可能性】
【００３１】
この発明の芝生清掃車のブラシ高さ調節装置は、新車は勿論のこと使用中の芝生清掃車にも後付けでも利用出来るので、その利用範囲は広く有用なものである。
【符号の説明】
【００３２】
１    芝生清掃車      
２    前車輪  
３    後車輪  
４    車体
５    操縦席    
６    ホッパー
７    ブラシ
８    ブラシケース
１０  ストップローラー
１１  ブラシ高さ調節装置
１２  側板                              
１３  水平板
１４  取付枠
１７  ガイド筒
１８  サポートロッド
１９  円環状のスペーサー
２１  載台
２５  ロックピン
２６  ストッパーカラー
２７  回り止め板
２８  予備ロッド
２９  リンチピン
３２  ワイヤー
【要約】      （修正有）【課題】地面上の芝やホコリ等の塵埃をブラシで掻き上げてホッパーに収集する芝生清掃車におけるブラシと地面との間隔距離を簡単な構成で且つ容易に調整できる芝生清掃車のブラシ高さ調節装置を提供する。【解決手段】芝生清掃車の車体のブラシケースの両側方に固定する側板１２とこの側板１２に直角に固定した水平板１３を具備する取付枠１４と、前記水平板１３に形成した貫通口の下方に固定したガイド筒１７と、該ガイド筒１７の内部に上下動自在に収納したサポートロッド１８と、該サポートロッド１８の前記ガイド筒１７よりも下方へ突出した部位に設けられた前記ブラシケースに固定したストップローラー１０を載せる載台２１と、前記サポートロッド１８の水平板１３よりも上方へ突出している突出部分に必要枚数だけ外嵌する所定の厚みを有する円環状のスペーサー１９と、前記サポートロッド１８に設けてあるピン孔に差し込むロックピン２５とを具備する。【選択図】図４【図１】
0006051372.tif 000002
【図２】
0006051372.tif 000003
【図３】
0006051372.tif 000004
【図４】
0006051372.tif 000005
【図５】
0006051372.tif 000006
【図６】
0006051372.tif 000007